(57)【要約】【課題】基板厚が互いに異なる複数種類の光情報記録媒体から所望の信号を精度良く取得する。【解決手段】ＢＤに対して最適化された対物レンズ６０と光源ＬＤとの間の光路上に、アクセス対象の光情報記録媒体がＨＤのときに光源から出射された光束の偏光方向を９０度回転させる液晶素子１０１と、該偏光旋光素子で偏光方向が回転された光束を選択的に回折して、ＢＤとＨＤとの基板厚の違いによって発生する収差（波面収差及び高次収差）を相殺する収差を付与する偏光ホログラム素子１０３とを配置する。これにより、アクセス対象の光情報記録媒体がＢＤ及びＨＤのいずれであっても、良好な光スポットが記録面に形成される。【選択図】図４
2006309807.tif 000002
【特許請求の範囲】
【請求項１】
光束の入射面と記録面との間隔である基板厚が互いに異なる第１の光情報記録媒体と第２の光情報記録媒体とを含む複数種類の光情報記録媒体のいずれかにアクセスし、情報の記録、再生、及び消去のうち少なくとも再生を行なうために用いられる光ピックアップ装置であって、
第１の偏光方向の光束を出射する光源と；
前記第１の光情報記録媒体に対して最適化され、前記光源から出射された光束をアクセス対象の光情報記録媒体の記録面に集光する対物レンズと；
前記光源と前記対物レンズとの間の光路上に配置され、前記対物レンズを介した戻り光束を分岐する偏光分岐光学素子と；
前記偏光分岐光学素子と前記対物レンズとの間の光路上に配置され、前記第１の偏光方向の光束をそのまま透過させる設定、及び前記第１の偏光方向の光束を第２の偏光方向の光束に変換する設定がそれぞれ可能であり、前記第１の光情報記録媒体及び前記第２の光情報記録媒体のうちのいずれか一方の光情報記録媒体がアクセス対象のときに前記透過させる設定がされ、他方の光情報記録媒体がアクセス対象のときに前記変換する設定がされる偏光旋光素子と；
前記偏光旋光素子と前記対物レンズとの間の光路上に配置され、前記第１の光情報記録媒体に対応する偏光方向の光束を透過させ、前記第２の光情報記録媒体に対応する偏光方向の光束を選択的に回折して、前記基板厚の相違により発生する収差を相殺する収差を付与し、前記第２の光情報記録媒体の記録面に集光させる偏光回折光学素子と；
前記偏光回折光学素子と前記対物レンズとの間の光路上に配置され、入射光束に１／４波長の光学的位相差を付与する１／４波長板と；
前記偏光分岐光学素子で分岐された戻り光束を所定の受光位置で受光する光検出器と；を備える光ピックアップ装置。
【請求項２】
前記偏光旋光素子は、印加電圧に応じた回転角で入射光束の偏光方向を回転させる液晶素子であることを特徴とする請求項１に記載の光ピックアップ装置。
【請求項３】
前記偏光回折光学素子は、前記記録面における球面収差及び高次収差をそれぞれ相殺することを特徴とする請求項１又は２に記載の光ピックアップ装置。
【請求項４】
前記偏光旋光素子と前記偏光回折光学素子との間の光路上に配置され、前記偏光回折光学素子と一体化されたコリメートレンズを更に備えることを特徴とする請求項１〜３のいずれか一項に記載の光ピックアップ装置。
【請求項５】
前記偏光回折光学素子は、前記対物レンズと連動して駆動されることを特徴とする請求項１〜４のいずれか一項に記載の光ピックアップ装置。
【請求項６】
前記偏光旋光素子と前記１／４波長板との間の光路上に配置され、アクセス対象の光情報記録媒体の種類に応じて前記対物レンズに入射する光束のビーム径を規定するビーム径規定素子を更に備えることを特徴とする請求項１〜５のいずれか一項に記載の光ピックアップ装置。
【請求項７】
前記ビーム径規定素子は、入射光束を透過させる円形の第１領域と、該第１領域の外周に接するドーナツ状の領域であって、入射光束の偏光方向に応じて透過率が異なる第２領域と、を有することを特徴とする請求項６に記載の光ピックアップ装置。
【請求項８】
前記偏光回折光学素子と前記ビーム径規定素子とは一体化されていることを特徴とする請求項６又は７に記載の光ピックアップ装置。
【請求項９】
前記１／４波長板と前記ビーム径規定素子とは一体化されていることを特徴とする請求項６〜８のいずれか一項に記載の光ピックアップ装置。
【請求項１０】
前記対物レンズは、前記複数種類の光情報記録媒体のうち基板厚が最小の光情報記録媒体に適切な開口数を有することを特徴とする請求項１〜９のいずれか一項に記載の光ピックアップ装置。
【請求項１１】
前記偏光分岐光学素子と前記光検出器との間の戻り光束の光路上に配置され、アクセス対象の光情報記録媒体が前記第１の光情報記録媒体のときに、戻り光束を回折して、復路で発生する収差を相殺する収差を付与する第２の偏光回折光学素子；を更に備えることを特徴とする請求項１〜１０のいずれか一項に記載の光ピックアップ装置。
【請求項１２】
前記偏光分岐光学素子と前記光検出器との間の戻り光束の光路上に配置され、前記戻り光束をそのまま透過させる設定、及び前記戻り光束の偏光方向を変更する設定がそれぞれ可能であり、前記第１の光情報記録媒体及び前記第２の光情報記録媒体のうちのいずれか一方の光情報記録媒体がアクセス対象のときに前記透過させる設定がされ、他方の光情報記録媒体がアクセス対象のときに前記変更する設定がされる第２の偏光旋光素子と；
前記第２の偏光旋光素子と前記光検出器との間の戻り光束の光路上に配置され、前記第１の偏光方向及び第２の偏光方向のうちの一方の偏光方向の光束を透過させ、他方の偏光方向の光束を選択的に回折して、復路で発生する収差を相殺する収差を付与する第２の偏光回折光学素子と；を更に備えることを特徴とする請求項１〜１０のいずれか一項に記載の光ピックアップ装置。
【請求項１３】
前記第２の偏光旋光素子と前記光検出器との間の戻り光束の光路上に配置され、前記他方の偏光方向の光束を透過させ、前記一方の偏光方向の光束を選択的に回折して、復路で発生する収差を相殺する収差を付与する第３の偏光回折光学素子；を更に備えることを特徴とする請求項１２に記載の光ピックアップ装置。
【請求項１４】
光束の入射面と記録面との間隔が互いに異なる複数種類の光情報記録媒体に対して、情報の記録、再生及び消去のうち少なくとも再生が可能な光ドライブ装置であって、
請求項１〜１３のいずれか一項に記載の光ピックアップ装置と；
前記光ピックアップ装置を構成する光検出器の出力信号を用いて、光情報記録媒体に記録されている情報の再生を行なう処理装置と；を備える光ドライブ装置。
【請求項１５】
光束の入射面と記録面との間隔が互いに異なる複数種類の光情報記録媒体にアクセス可能な情報処理装置であって、
請求項１４に記載の光ドライブ装置と；
前記光ドライブ装置を制御する主制御装置と；を備える情報処理装置。
【発明の詳細な説明】
【技術分野】
【０００１】
本発明は、光ピックアップ装置、光ドライブ装置及び情報処理装置に係り、さらに詳しくは、光情報記録媒体に対してデータの記録、再生及び消去のうち少なくとも再生を行うのに用いられる光ピックアップ装置、該光ピックアップ装置を搭載する光ドライブ装置、及び該光ドライブ装置を備える情報処理装置に関する。
【背景技術】
【０００２】
近年、デジタル技術の進歩及びデータ圧縮技術の向上に伴い、音楽、映画、写真及びコンピュータソフトなどの情報（以下「コンテンツ」ともいう）を記録するための情報記録媒体（メディア）として、ＣＤ（compact disc）やＤＶＤ（digital versatile disc）などの光ディスクが注目されるようになり、その低価格化とともに、光ディスクを情報記録の対象媒体とする光ディスク装置が普及するようになった。
【０００３】
光ディスク装置では、光ディスクのスパイラル状又は同心円状のトラックが形成された記録面にレーザ光の微小スポットを形成することにより情報の記録を行い、記録面からの反射光に基づいて情報の再生などを行っている。この光ディスク装置には、光ディスクの記録面にレーザ光を照射するとともに、記録面からの反射光を受光するために、光ピックアップ装置が搭載されている。
【０００４】
近年、パーソナルコンピュータ（以下「パソコン」と略述する）などの情報機器の小型化が急速に進み、それに伴って、ＣＤ及びＤＶＤの両方に対応可能な光ディスク装置が製品化されている。このような光ディスク装置では、小型化及び低コスト化を図るため、対物レンズを共用している。しかしながら、基板厚がＣＤでは１．２ｍｍ、ＤＶＤでは０．６ｍｍと、互いに異なっているため、対物レンズの特性を一方のメディアに合わせると、他方のメディアで収差が発生する。そこで、種々の収差対策が提案された（例えば、特許文献１〜特許文献３）。
【０００５】
ところで、コンテンツの情報量は、年々増加する傾向にあり、光ディスクの記録容量の更なる増加が期待されている。そこで、Ｂｌｕ−ｒａｙ  Ｄｉｓｃ（以下「ＢＤ」と略述する）やＨＤ−ＤＶＤ（High Definition DVD、以下「ＨＤ」と略述する）の規格が提唱された。ＢＤは基板厚が０．１ｍｍであり、発振波長が４０５ｎｍの光源、及び開口数が０．８５の対物レンズを用いることとされている。一方、ＨＤは基板厚が０．６ｍｍであり、発振波長が４０５ｎｍの光源、及び開口数が０．６５の対物レンズを用いることとされている。従って、現在は製品化されていないが、ＨＤ及びＢＤのいずれにも対応可能な光ディスク装置では、焦点距離が短く、開口数が０．８５の対物レンズが必要となる。しかしながら、従来のＤＶＤよりも波長が短い光束に対応し、焦点距離が短くて開口数が０．８５の対物レンズは、許容される製造誤差（製造公差）が従来の対物レンズに比べて非常に小さいため、精度良く大量生産するのは非常に困難である。また、上記特許文献１〜特許文献３に開示されている収差対策と同様な手法では不十分である。
【０００６】
【特許文献１】特開平７−９８４３１号公報
【特許文献２】特開平１０−２７３７８号公報
【特許文献３】特開平９−２５１６５８号公報
【発明の開示】
【発明が解決しようとする課題】
【０００７】
本発明は、かかる事情の下になされたもので、その第１の目的は、基板厚が互いに異なる複数種類の光情報記録媒体から所望の信号を精度良く取得することができる光ピックアップ装置を提供することにある。
【０００８】
また、本発明の第２の目的は、基板厚が互いに異なる複数種類の光情報記録媒体へのアクセスを精度良く行うことができる光ドライブ装置を提供することにある。
【０００９】
また、本発明の第３の目的は、基板厚が互いに異なる複数種類の光情報記録媒体から情報を正しく取得することができる情報処理装置を提供することにある。
【課題を解決するための手段】
【００１０】
請求項１に記載の発明は、光束の入射面と記録面との間隔である基板厚が互いに異なる第１の光情報記録媒体と第２の光情報記録媒体とを含む複数種類の光情報記録媒体のいずれかにアクセスし、情報の記録、再生、及び消去のうち少なくとも再生を行なうために用いられる光ピックアップ装置であって、第１の偏光方向の光束を出射する光源と；前記第１の光情報記録媒体に対して最適化され、前記光源から出射された光束をアクセス対象の光情報記録媒体の記録面に集光する対物レンズと；前記光源と前記対物レンズとの間の光路上に配置され、前記対物レンズを介した戻り光束を分岐する偏光分岐光学素子と；前記偏光分岐光学素子と前記対物レンズとの間の光路上に配置され、前記第１の偏光方向の光束をそのまま透過させる設定、及び前記第１の偏光方向の光束を第２の偏光方向の光束に変換する設定がそれぞれ可能であり、前記第１の光情報記録媒体及び前記第２の光情報記録媒体のうちのいずれか一方の光情報記録媒体がアクセス対象のときに前記透過させる設定がされ、他方の光情報記録媒体がアクセス対象のときに前記変換する設定がされる偏光旋光素子と；前記偏光旋光素子と前記対物レンズとの間の光路上に配置され、前記第１の光情報記録媒体に対応する偏光方向の光束を透過させ、前記第２の光情報記録媒体に対応する偏光方向の光束を選択的に回折して、前記基板厚の相違により発生する収差を相殺する収差を付与し、前記第２の光情報記録媒体の記録面に集光させる偏光回折光学素子と；前記偏光回折光学素子と前記対物レンズとの間の光路上に配置され、入射光束に１／４波長の光学的位相差を付与する１／４波長板と；前記偏光分岐光学素子で分岐された戻り光束を所定の受光位置で受光する光検出器と；を備える光ピックアップ装置である。
【００１１】
これによれば、アクセス対象の光情報記録媒体が第１の光情報記録媒体の場合には、対物レンズが第１の光情報記録媒体に対して最適化されているため、良好な光スポットが記録面に形成される。アクセス対象の光情報記録媒体が第２の光情報記録媒体の場合には、光源から出射された光束は、偏光回折光学素子により回折される。このとき、基板厚の相違により発生する収差を相殺する収差が付与されるため、良好な光スポットが記録面に形成される。すなわち、アクセス対象の光情報記録媒体が第１の光情報記録媒体及び第２の光情報記録媒体のいずれであっても、良好な光スポットが記録面に形成されることとなる。従って、その結果として、基板厚が互いに異なる複数種類の光情報記録媒体から所望の信号を精度良く取得することが可能となる。
【００１２】
この場合において、請求項２に記載の光ピックアップ装置の如く、前記偏光旋光素子は、印加電圧に応じた回転角で入射光束の偏光方向を回転させる液晶素子であることとすることができる。
【００１３】
上記請求項１及び２に記載の各光ピックアップ装置において、請求項３に記載の光ピックアップ装置の如く、前記偏光回折光学素子は、前記記録面における球面収差及び高次収差をそれぞれ相殺することとすることができる。
【００１４】
上記請求項１〜３に記載の各光ピックアップ装置において、請求項４に記載の光ピックアップ装置の如く、前記偏光旋光素子と前記偏光回折光学素子との間の光路上に配置され、前記偏光回折光学素子と一体化されたコリメートレンズを更に備えることとすることができる。
【００１５】
上記請求項１〜４に記載の各光ピックアップ装置において、請求項５に記載の光ピックアップ装置の如く、前記偏光回折光学素子は、前記対物レンズと連動して駆動されることとすることができる。
【００１６】
上記請求項１〜５に記載の各光ピックアップ装置において、請求項６に記載の光ピックアップ装置の如く、前記偏光旋光素子と前記１／４波長板との間の光路上に配置され、アクセス対象の光情報記録媒体の種類に応じて前記対物レンズに入射する光束のビーム径を規定するビーム径規定素子を更に備えることとすることができる。
【００１７】
この場合において、請求項７に記載の光ピックアップ装置の如く、前記ビーム径規定素子は、入射光束を透過させる円形の第１領域と、該第１領域の外周に接するドーナツ状の領域であって、入射光束の偏光方向に応じて透過率が異なる第２領域と、を有することとすることができる。
【００１８】
上記請求項６及び７に記載の各光ピックアップ装置において、請求項８に記載の光ピックアップ装置の如く、前記偏光回折光学素子と前記ビーム径規定素子とは一体化されていることとすることができる。
【００１９】
上記請求項６〜８に記載の各光ピックアップ装置において、請求項９に記載の光ピックアップ装置の如く、前記１／４波長板と前記ビーム径規定素子とは一体化されていることとすることができる。
【００２０】
上記請求項１〜９に記載の各光ピックアップ装置において、請求項１０に記載の光ピックアップ装置の如く、前記対物レンズは、前記複数種類の光情報記録媒体のうち基板厚が最小の光情報記録媒体に適切な開口数を有することとすることができる。
【００２１】
上記請求項１〜１０に記載の各光ピックアップ装置において、請求項１１に記載の光ピックアップ装置の如く、前記偏光分岐光学素子と前記光検出器との間の戻り光束の光路上に配置され、アクセス対象の光情報記録媒体が前記第１の光情報記録媒体のときに、戻り光束を回折して、復路で発生する収差を相殺する収差を付与する第２の偏光回折光学素子；を更に備えることとすることができる。
【００２２】
上記請求項１〜１０に記載の各光ピックアップ装置において、請求項１２に記載の光ピックアップ装置の如く、前記偏光分岐光学素子と前記光検出器との間の戻り光束の光路上に配置され、前記戻り光束をそのまま透過させる設定、及び前記戻り光束の偏光方向を変更する設定がそれぞれ可能であり、前記第１の光情報記録媒体及び前記第２の光情報記録媒体のうちのいずれか一方の光情報記録媒体がアクセス対象のときに前記透過させる設定がされ、他方の光情報記録媒体がアクセス対象のときに前記変更する設定がされる第２の偏光旋光素子と；前記第２の偏光旋光素子と前記光検出器との間の戻り光束の光路上に配置され、前記第１の偏光方向及び第２の偏光方向のうちの一方の偏光方向の光束を透過させ、他方の偏光方向の光束を選択的に回折して、復路で発生する収差を相殺する収差を付与する第２の偏光回折光学素子と；を更に備えることとすることができる。
【００２３】
この場合において、請求項１３に記載の光ピックアップ装置の如く、前記第２の偏光旋光素子と前記光検出器との間の戻り光束の光路上に配置され、前記他方の偏光方向の光束を透過させ、前記一方の偏光方向の光束を選択的に回折して、復路で発生する収差を相殺する収差を付与する第３の偏光回折光学素子；を更に備えることとすることができる。
【００２４】
請求項１４に記載の発明は、光束の入射面と記録面との間隔が互いに異なる複数種類の光情報記録媒体に対して、情報の記録、再生及び消去のうち少なくとも再生が可能な光ドライブ装置であって、請求項１〜１３のいずれか一項に記載の光ピックアップ装置と；前記光ピックアップ装置を構成する光検出器の出力信号を用いて、光情報記録媒体に記録されている情報の再生を行なう処理装置と；を備える光ドライブ装置である。
【００２５】
これによれば、基板厚が互いに異なる複数種類の光情報記録媒体から所望の信号を精度良く取得することができる請求項１〜１３のいずれか一項に記載の光ピックアップ装置を備えているため、基板厚が互いに異なる複数種類の光情報記録媒体へのアクセスを精度良く行うことが可能となる。
【００２６】
請求項１５に記載の発明は、光束の入射面と記録面との間隔が互いに異なる複数種類の光情報記録媒体にアクセス可能な情報処理装置であって、請求項１４に記載の光ドライブ装置と；前記光ドライブ装置を制御する主制御装置と；を備える情報処理装置である。
【００２７】
これによれば、請求項１４に記載の光ドライブ装置を備えているため、基板厚が互いに異なる複数種類の光情報記録媒体から情報を正しく取得することが可能となる。
【発明を実施するための最良の形態】
【００２８】
以下、本発明の一実施形態を図１〜図１４に基づいて説明する。図１には、本発明の一実施形態に係る情報処理装置としてのパソコン１０の概略構成が示されている。
【００２９】
この図１に示されるパソコン１０は、主制御装置９２、光ドライブ装置としての光ディスク装置２０、ハードディスク装置（ＨＤＤ）９４、入力装置９５、表示装置９６、及びドライブインターフェース９７などを備えている。
【００３０】
前記ＨＤＤ９４は、ハードディスク９４ｂと、該ハードディスク９４ｂを駆動するための駆動装置９４ａなどから構成されている。
【００３１】
前記表示装置９６は、例えばＣＲＴ、液晶ディスプレイ（ＬＣＤ）及びプラズマ・ディスプレイ・パネル（ＰＤＰ）などを用いた表示部（図示省略）を備え、主制御装置９２から指示された各種情報を表示する。
【００３２】
前記入力装置９５は、例えばキーボード、マウス、タブレット、ライトペン及びタッチパネルなどのうち少なくとも１つの入力媒体（図示省略）を備え、ユーザから入力された各種情報を主制御装置９２に通知する。なお、入力媒体からの情報はワイヤレス方式で入力されても良い。また、表示装置９６と入力装置９５とが一体化されたものとして、例えばタッチパネル付きＬＣＤなどがある。
【００３３】
前記ドライブインターフェース９７は、主制御装置９２と、光ディスク装置２０及びＨＤＤ９４との双方向のインターフェースであり、ＡＴＡＰＩ（AT Attachment Packet Interface）、ＳＣＳＩ（Small Computer System Interface）及びＵＳＢ（Universal Serial Bus）などの標準インターフェースに準拠している。
【００３４】
前記光ディスク装置２０は、主制御装置９２の指示に基づいて、セットされている光ディスク（ここでは、光ディスク１５）に対して情報の記録及び再生を行なう。
【００３５】
この光ディスク装置２０は、一例として図２に示されるように、光ディスク１５を回転駆動するためのスピンドルモータ２２、光ピックアップ装置２３、該光ピックアップ装置２３をスレッジ方向に駆動するためのシークモータ２１、レーザ制御回路２４、エンコーダ２５、駆動制御回路２６、再生信号処理回路２８、バッファＲＡＭ３４、バッファマネージャ３７、インターフェース３８、フラッシュメモリ３９、ＣＰＵ４０及びＲＡＭ４１などを備えている。なお、図２における矢印は、代表的な信号や情報の流れを示すものであり、各ブロックの接続関係の全てを表すものではない。また、光ディスク装置２０は、一例として前記ＢＤ及び前記ＨＤの規格に準拠した光情報記録媒体に対応可能であるものとする。そこで、ＢＤ及びＨＤの規格に準拠した光情報記録媒体が光ディスク１５に用いられる。
【００３６】
前述したように、光ディスクにおける光束の入射面から記録面までの距離、いわゆる基板厚は、ＢＤの規格に準拠した光情報記録媒体（以下では、便宜上「ＢＤ」と略述する）では０．１ｍｍであり（図３（Ａ）参照）、ＨＤの規格に準拠した光情報記録媒体（以下では、便宜上「ＨＤ」と略述する）では０．６ｍｍである（図３（Ｂ）参照）。また、対物レンズの適切な開口数は、ＢＤでは０．８５であり、ＨＤでは０．６５である。なお、本実施形態では、特にＢＤとＨＤとを区別する場合には、光ディスク１５ａをＢＤとし、光ディスク１５ｂをＨＤとする。
【００３７】
前記光ピックアップ装置２３は、光ディスク１５の記録面にレーザ光を照射するとともに、その記録面からの反射光を受光するための装置である。この光ピックアップ装置２３は、一例として図４に示されるように、光源ＬＤ、偏光分岐光学素子としての偏光ビームスプリッタ５４、偏光旋光素子としての液晶素子１０１、コリメートレンズ５２、プリズム５３、偏光回折光学素子としての偏光ホログラム素子１０３、ビーム径規定素子としての開口制限素子１０５、１／４波長板５５、対物レンズ６０、検出レンズ５８、光検出器としての受光器ＰＤ、及び駆動系６１などを備えている。
【００３８】
前記光源ＬＤは、中心波長が４０５ｎｍのレーザ光を出射する半導体レーザである。なお、光源ＬＤから出射される光束の最大強度出射方向を＋Ｚ方向とする。また、一例として光源ＬＤからは直線偏光（ここではＰ偏光）の光束（第１の偏光方向の光束）が出射されるものとする。
【００３９】
前記偏光ビームスプリッタ５４は、光源ＬＤの＋Ｚ側に配置され、光ディスク１５で反射した光束（戻り光束）を＋Ｙ方向に分岐する。この偏光ビームスプリッタ５４は、入射光束の偏光状態に応じてその反射率が異なっている。ここでは一例として、偏光ビームスプリッタ５４は、Ｐ偏光に対する反射率が小さく、Ｓ偏光に対する反射率が大きくなるように設定されている。すなわち、光源ＬＤから出射された光束の大部分は、偏光ビームスプリッタ５４を透過することができる。
【００４０】
前記液晶素子１０１は、一例として図５（Ａ）及び図５（Ｂ）に示されるように、正の誘電異方性を有するツイストネマティック（ＴＮ）液晶が２枚のガラス基板の間に密封された液晶素子である。各ガラス基板にはインジウム錫酸化物（ＩＴＯ）からなる透明電極及びポリイミドからなる配向膜がそれぞれ形成され、配向膜はラビングによる配向処理が施されている。ここでは、液晶層の厚さは約５ｍｍである。また、液晶分子の長軸の配向方向すなわちラビングの方向は入射側のガラス基板と出射側のガラス基板とで９０度クロスしており、液晶層は連続的に９０度ねじれて配向している。そして、液晶素子１０１には透明電極を介して交流電圧が印加されるようになっている。
【００４１】
この液晶素子１０１は、偏光ビームスプリッタ５４の＋Ｚ側であって、光源ＬＤからの直線偏光（ここではＰ偏光）をその偏向面と隣接するガラス基板面での液晶分子の配向方向に直交させるように配置されている。そこで、一例として図６に示されるように、しきい値（図６では約４Ｖ）より十分低い交流電圧（図６では２Ｖ以下）が印加されている状態（以下「オフ状態」ともいう）では、液晶素子１０１は入射光束の偏光方向を９０度回転させて出射する（図５（Ａ）参照）。一方、しきい値より十分高い交流電圧（図６では６Ｖ以上）が印加されている状態（以下「オン状態」ともいう）では、液晶分子のねじれ配向が解消されるため、液晶素子１０１は入射光束の偏光方向を変更せずにそのまま出射する（図５（Ｂ）参照）。なお、オフ状態及びオン状態は、ＣＰＵ４０によって設定される。すなわち、本実施形態では、Ｓ偏光の光束が第２の偏光方向の光束となる。
【００４２】
前記コリメートレンズ５２は、液晶素子１０１の＋Ｚ側に配置され、液晶素子１０１からの光束を略平行光とする。
【００４３】
前記プリズム５３は、コリメートレンズ５２の＋Ｚ側に配置され、コリメートレンズ５２からの光束の光路を−Ｙ方向に曲げる。なお、プリズム５３に代えて反射ミラーを用いても良い。
【００４４】
前記偏光ホログラム素子１０３は、プリズム５３の−Ｙ側に配置され、入射光束に含まれる常光成分（ここではＰ偏光成分）をそのまま透過させ、入射光束に含まれる異常光成分（ここではＳ偏光成分）を回折して所定の収差を付与する。ここでは、偏光ホログラム素子１０３は、一例として図７に示されるように、例えばプロトン交換法により基板表面に同心円状の回折格子を形成した後、該回折格子上に誘電体膜を形成して作成されている。この偏光ホログラム素子１０３の位相関数が図８に示されている。なお、基板の屈折率は１．５３、誘電体膜の常光線に対する屈折率は１．５３、誘電体膜の異常光線に対する屈折率は１．７３である。
【００４５】
前記開口制限素子１０５は、偏光ホログラム素子１０３の−Ｙ側に配置され、光ディスク１５に適切な開口数に応じて対物レンズ６０に入射する光束のビーム径を規定する。この開口制限素子１０５は、一例として図９（Ａ）及び図９（Ｂ）に示されるように、中央に円形状の完全透過領域（第１領域）があり、完全透過領域の外周に隣接してドーナツ状の偏光領域（第２領域）がある。この偏光領域は、Ｓ偏光を消光状態とする偏光子で形成されている。なお、完全透過領域の大きさは、完全透過領域のみを透過した光束が対物レンズ６０での開口数０．６５に対応する光束となるように設定されている。また、偏光領域の大きさは、完全透過領域及び偏光領域の両方を透過した光束が対物レンズ６０での開口数０．８５に対応する光束となるように設定されている。
【００４６】
前記１／４波長板５５は、開口制限素子１０５の−Ｙ側に配置され、入射光束に１／４波長の光学的位相差を付与する。
【００４７】
前記対物レンズ６０は、１／４波長板５５の−Ｙ側に配置され、１／４波長板５５を透過した光束を光ディスク１５の記録面に集光する。この対物レンズ６０は、開口数が０．８５である。そして、一例として図１０〜図１１（Ｂ）に示されるように、光軸方向の一側の面と他側の面は互いに異なる非球面形状を有し、ＢＤの記録面に収差の小さい光スポット（図１２（Ａ）参照）が形成されるように設計されている。なお、偏芯公差については大量生産が可能な値を確保している。
【００４８】
前記検出レンズ５８は、偏光ビームスプリッタ５４の＋Ｙ側に配置され、偏光ビームスプリッタ５４で＋Ｙ方向に分岐された戻り光束を前記受光器ＰＤの受光面に集光する。この受光器ＰＤは、再生信号処理回路２８にてＲＦ信号、ウォブル信号及びサーボ信号などを検出するのに用いられる信号（光電変換信号）を生成するための複数の受光素子（又は受光領域）を含んで構成されている。すなわち、本実施形態では、偏光ビームスプリッタ５４と検出レンズ５８と受光器ＰＤとから検出系が構成されている。
【００４９】
前記駆動系６１は、対物レンズ６０の光軸方向であるフォーカス方向に対物レンズ６０を微少駆動するためのフォーカシングアクチュエータ、及びトラッキング方向に対物レンズ６０を微少駆動するためのトラッキングアクチュエータを有している。ここでは、便宜上、光ディスク１５がＢＤのときのフォーカス方向に関する対物レンズ６０の最適位置を「第１レンズ位置」といい、光ディスク１５がＨＤのときのフォーカス方向に関する対物レンズ６０の最適位置を「第２レンズ位置」ということとする。
【００５０】
上記のように構成される光ピックアップ装置２３の作用を、図１３及び図１４を用いて説明する。
【００５１】
《光ディスク１５がＢＤの場合（図１３参照）》
ここでは、すでに、液晶素子１０１はＣＰＵ４０によってオン状態とされ、対物レンズ６０はフォーカシングアクチュエータにより前記第１レンズ位置に位置決めされているものとする。
【００５２】
光源ＬＤから出射された直線偏光（ここではＰ偏光）の光束は、その大部分が偏光ビームスプリッタ５４をそのまま透過し、液晶素子１０１に入射する。ここでは、液晶素子１０１がオン状態であるため、液晶素子１０１に入射した光束は、そのまま透過する。
【００５３】
液晶素子１０１からの光束はコリメートレンズ５２で略平行光となり、プリズム５３によってその光路が−Ｙ方向に曲げられた後、偏光ホログラム素子１０３に入射する。この入射光はＰ偏光であるため、偏光ホログラム素子１０３をそのまま透過し、開口制限素子１０５に入射する。この入射光はＰ偏光であるため、開口制限素子１０５における完全透過領域及び偏光領域のいずれも透過する。
【００５４】
開口制限素子１０５からの光束は、略平行状態で１／４波長板５５に入射し、１／４波長の光学的位相差が付与され、円偏光となる。１／４波長板５５からの光束は対物レンズ６０を介して光ディスク１５ａの記録面に微小スポットとして集光される。ここでは、開口数が約０．８５に相当する光束が集光される。この場合には、前述したように対物レンズ６０がＢＤに対して最適化されているため、記録面には良好な光スポットが形成される。
【００５５】
光ディスク１５ａからの反射光は、往路とは反対回りの円偏光となり、戻り光束として対物レンズ６０で再び略平行光とされ、１／４波長板５５で往路と直交した直線偏光（ここではＳ偏光）とされる。１／４波長板５５からの光束は、開口制限素子１０５に入射する。この入射光はＳ偏光であるため、開口制限素子１０５における完全透過領域のみを透過し、偏光ホログラム素子１０３に入射する。この入射光はＳ偏光であるため、偏光ホログラム素子１０３で回折され、プリズム５３によってその光路が−Ｚ方向に曲げられた後、コリメートレンズ５２を介して液晶素子１０１に入射する。ここでは、液晶素子１０１がオン状態であるため、液晶素子１０１に入射した光束は、そのまま透過し、偏光ビームスプリッタ５４に入射する。この入射光はＳ偏光であるため、偏光ビームスプリッタ５４で＋Ｙ方向に分岐され、その分岐された光束は、検出レンズ５８を介して受光器ＰＤで受光される。受光器ＰＤでは受光素子（又は受光領域）毎に光電変換され、各光電変換信号はそれぞれ再生信号処理回路２８に出力される。
【００５６】
《光ディスク１５がＨＤの場合（図１４参照）》
ここでは、すでに、液晶素子１０１はＣＰＵ４０によってオフ状態とされ、対物レンズ６０はフォーカシングアクチュエータにより前記第２レンズ位置に位置決めされているものとする。
【００５７】
光源ＬＤから出射された直線偏光（ここではＰ偏光）の光束は、その大部分が偏光ビームスプリッタ５４をそのまま透過し、液晶素子１０１に入射する。ここでは、液晶素子１０１がオフ状態であるため、液晶素子１０１に入射した光束は、偏光方向が９０度回転して出射される。すなわち、Ｓ偏光に変換される。
【００５８】
液晶素子１０１からの光束はコリメートレンズ５２で略平行光となり、プリズム５３によってその光路が−Ｙ方向に曲げられた後、偏光ホログラム素子１０３に入射する。この入射光はＳ偏光であるため、偏光ホログラム素子１０３で回折される。ここでは、前述したように対物レンズ６０がＢＤに対して最適化されているため、ＨＤのときには、収差補正を何も行わなければ、基板厚の相違により、一例として図１２（Ｂ）に示されるような収差（波面収差及び高次収差）が生じる。そこで、本実施形態では、この収差を相殺するような収差（以下では、便宜上「補正用収差」ともいう）が偏光ホログラム素子１０３で付与されるように、偏光ホログラム素子１０３の回折格子が形成されている。また、回折によって発散角が変化しないように回折格子が形成されている。
【００５９】
偏光ホログラム素子１０３からの光束は、開口制限素子１０５に入射する。この入射光はＳ偏光であるため、開口制限素子１０５における完全透過領域のみを透過する。すなわち、偏光ホログラム素子１０３からの光束の中心部分のみが透過する。
【００６０】
開口制限素子１０５からの光束は、略平行状態で１／４波長板５５に入射し、１／４波長の光学的位相差が付与され、円偏光となる。１／４波長板５５からの光束は対物レンズ６０を介して光ディスク１５ｂの記録面に微小スポットとして集光される。ここでは、開口数が約０．６５に相当する光束が集光される。この場合には、偏光ホログラム素子１０３で補正用収差が付与されているため、記録面には良好な光スポットが形成される。
【００６１】
光ディスク１５ｂからの反射光は、往路とは反対回りの円偏光となり、戻り光束として対物レンズ６０で再び略平行光とされ、１／４波長板５５で往路と直交した直線偏光（ここではＰ偏光）とされる。１／４波長板５５からの光束は、開口制限素子１０５に入射する。この入射光はＰ偏光であるため、開口制限素子１０５における完全透過領域及び偏光領域のいずれも透過し、偏光ホログラム素子１０３に入射する。この入射光はＰ偏光であるため、偏光ホログラム素子１０３をそのまま透過し、プリズム５３によってその光路が−Ｚ方向に曲げられた後、コリメートレンズ５２を介して液晶素子１０１に入射する。ここでは、液晶素子１０１がオフ状態であるため、液晶素子１０１に入射した光束は、偏光方向が９０度回転して出射される。すなわち、Ｓ偏光に変換される。液晶素子１０１からの光束は、偏光ビームスプリッタ５４に入射する。この入射光はＳ偏光であるため、偏光ビームスプリッタ５４で＋Ｙ方向に分岐され、その分岐された光束は、検出レンズ５８を介して受光器ＰＤで受光される。受光器ＰＤでは受光素子（又は受光領域）毎に光電変換され、各光電変換信号はそれぞれ再生信号処理回路２８に出力される。
【００６２】
図２に戻り、前記再生信号処理回路２８は、前記受光器ＰＤの出力信号（複数の光電変換信号）に基づいて、サーボ信号（フォーカスエラー信号やトラックエラー信号など）、アドレス情報、同期情報及びＲＦ信号などを取得する。ここで得られたサーボ信号は前記駆動制御回路２６に出力され、アドレス情報はＣＰＵ４０に出力され、同期信号はエンコーダ２５や駆動制御回路２６などに出力される。さらに、再生信号処理回路２８は、ＲＦ信号に対して復号処理及び誤り検出処理などを行い、誤りが検出されたときには誤り訂正処理を行った後、再生データとして前記バッファマネージャ３７を介して前記バッファＲＡＭ３４に格納する。また、再生データに含まれるアドレス情報はＣＰＵ４０に出力される。
【００６３】
前記駆動制御回路２６は、再生信号処理回路２８からのトラックエラー信号に基づいて、トラッキング方向に関する対物レンズ６０の位置ずれを補正するための前記トラッキングアクチュエータの駆動信号を生成する。また、駆動制御回路２６は、再生信号処理回路２８からのフォーカスエラー信号に基づいて、対物レンズ６０のフォーカスずれを補正するための前記フォーカシングアクチュエータの駆動信号を生成する。ここで生成された各アクチュエータの駆動信号は光ピックアップ装置２３に出力される。これにより、トラッキング制御及びフォーカス制御が行われる。さらに、駆動制御回路２６は、ＣＰＵ４０の指示に基づいて、シークモータ２１を駆動するための駆動信号、及びスピンドルモータ２２を駆動するための駆動信号を生成する。各モータの駆動信号は、それぞれシークモータ２１及びスピンドルモータ２２に出力される。
【００６４】
前記バッファＲＡＭ３４には、光ディスク１５に記録するデータ（記録用データ）、及び光ディスク１５から再生したデータ（再生データ）などが一時的に格納される。このバッファＲＡＭ３４へのデータの入出力は、前記バッファマネージャ３７によって管理されている。
【００６５】
前記エンコーダ２５は、ＣＰＵ４０の指示に基づいて、バッファＲＡＭ３４に蓄積されている記録用データをバッファマネージャ３７を介して取り出し、データの変調及びエラー訂正コードの付加などを行ない、光ディスク１５への書き込み信号を生成する。ここで生成された書き込み信号はレーザ制御回路２４に出力される。
【００６６】
前記レーザ制御回路２４は、前記光源ＬＤの発光パワーを制御する。例えば記録の際には、前記書き込み信号、記録条件、及び光源ＬＤの発光特性などに基づいて、光源ＬＤの駆動信号がレーザ制御回路２４にて生成される。
【００６７】
前記インターフェース３８は、前記ドライブインターフェース９７を介した主制御装置９２との双方向の通信インターフェースであり、ドライブインターフェース９７と同じ標準インターフェースに準拠している。
【００６８】
前記フラッシュメモリ３９には、ＣＰＵ４０にて解読可能なコードで記述された各種プログラム、記録パワーや記録ストラテジ情報を含む記録条件、及び光源ＬＤの発光特性などが格納されている。
【００６９】
前記ＣＰＵ４０は、フラッシュメモリ３９に格納されている上記プログラムに従って前記各部の動作を制御するとともに、制御に必要なデータなどをＲＡＭ４１及びバッファＲＡＭ３４に保存する。
【００７０】
なお、光ディスク１５がＨＤであるかＢＤであるかは、光ディスク１５が光ディスク装置２０にセットされたときに、光ディスクの所定位置に記録されているディスク情報に基づいて判断される。そして、その判断結果は、再生信号処理回路２８などに通知される。また、ＣＰＵ４０は、光ディスク１５の種類に応じて、液晶素子１０１を適切な状態に設定する。
【００７１】
《再生処理》
ユーザが、入力装置９５を介して、光ディスク１５に対する再生要求を入力すると、主制御装置９２は、再生要求コマンドを光ディスク装置２０に出力する。
【００７２】
ＣＰＵ４０は、再生要求コマンドを受信すると、所定の線速度（又は角速度）で光ディスク１５が回転するように駆動制御回路２６に指示するとともに、再生要求コマンドを受信した旨を再生信号処理回路２８に通知する。
【００７３】
そして、ＣＰＵ４０は、光ディスク１５が所定の線速度（又は角速度）で回転していることを確認すると、指定アドレスに対応する目標位置近傍に光スポットが形成されるように、駆動制御回路２６に指示する。これにより、シーク動作が行なわれる。
【００７４】
シーク動作が完了すると、ＣＰＵ４０は、再生を許可する。これにより、再生信号処理回路２８にて再生処理が行われる。
【００７５】
ＣＰＵ４０は、指定されたデータの再生が完了すると再生要求コマンドに対する処理を終了する。
【００７６】
以上の説明から明らかなように、本実施形態に係る光ディスク装置２０では、再生信号処理回路２８と、ＣＰＵ４０及び該ＣＰＵ４０によって実行されるプログラムとによって、処理装置が構成されている。なお、ＣＰＵ４０によるプログラムに従う処理の少なくとも一部をハードウェアによって構成することとしても良いし、あるいは全てをハードウェアによって構成することとしても良い。
【００７７】
以上説明したように、本実施形態に係る光ピックアップ装置２３によると、アクセス対象の光情報記録媒体がＢＤ（第１の光情報記録媒体）の場合には、対物レンズ６０がＢＤに対して最適化されているため、良好な光スポットが記録面に形成される。アクセス対象の光情報記録媒体がＨＤ（第２の光情報記録媒体）の場合には、光源ＬＤから出射されたＰ偏光の光束（第１の偏光方向の光束）は、液晶素子１０１（偏光旋光素子）によりＳ偏光の光束（第２の偏光方向の光束）に変換された後、偏光ホログラム素子１０３（偏光回折光学素子）により回折される。このとき、ＢＤとＨＤとの基板厚の違いによって発生する収差（波面収差及び高次収差）を相殺する補正用収差が付与されるため、良好な光スポットが記録面に形成される。すなわち、アクセス対象の光情報記録媒体がＢＤ及びＨＤのいずれであっても、良好な光スポットが記録面に形成されることとなる。従って、その結果として、基板厚が互いに異なる複数種類の光情報記録媒体から所望の信号を精度良く取得することが可能となる。
【００７８】
また、安価な対物レンズを用いることができるので、低コスト化を図ることが可能となる。
【００７９】
さらに、アクセス対象の光情報記録媒体がＢＤ及びＨＤのいずれであっても、単一の対物レンズで、良好な光スポットが記録面に形成されるため、装置の小型化及び低コスト化が可能となる。
【００８０】
また、偏光旋光素子として液晶素子を用いているため、特別な駆動機構を必要とせず、装置の小型化及び低コスト化が可能となる。
【００８１】
また、偏光ホログラム素子１０３では、入射光束の発散角が維持されるため、対物レンズ６０における軸ずれを抑制することが可能となる。これにより、対物レンズ６０で発生する収差（波面収差及び高次収差）が低減される。
【００８２】
また、開口制限素子１０５が、円形状の完全透過領域（第１領域）と該完全透過領域の外周に隣接したドーナツ状の偏光領域（第２領域）とから構成されているため、開口制限を容易に行うことができる。
【００８３】
また、本実施形態に係る光ディスク装置２０によると、光ディスク１５がＨＤ及びＢＤのいずれであってもＳ／Ｎ比の高い信号が光ピックアップ装置２３から出力されるため、ＨＤ及びＢＤのいずれに対してもアクセスを精度良く行うことができる。従って、基板厚が互いに異なる複数種類の光情報記録媒体へのアクセスを精度良く行うことが可能となる。また、光ピックアップ装置２３の小型化及び低コスト化により、光ディスク装置２０の小型化及び低コスト化が可能となる。
【００８４】
また、本実施形態に係るパソコン１０によると、ＨＤ及びＢＤのいずれに対してもアクセスを精度良く行うことができる光ディスク装置２０を備えているため、基板厚が互いに異なる複数種類の光情報記録媒体から情報を正しく取得することが可能となる。また、光ディスク装置２０の小型化及び低コスト化により、パソコン１０の小型化及び低コスト化が可能となる。
【００８５】
なお、上記実施形態では、液晶素子１０１として、図１５に示されるように、光束の進行方向に対して垂直な面内で回転可能な１／２波長板を用いても良い。この場合には、ＣＰＵ４０は、光ディスク１５がＢＤの場合には、光源ＬＤからの光束がそのまま１／２波長板を透過し、一方、光ディスク１５がＨＤの場合には、光源ＬＤからの光束に１／２波長の光学的位相差が付与されるように１／２波長板の回転を制御することとなる。
【００８６】
また、上記実施形態において、一例として図１６に示されるように、前記偏光ホログラム素子１０３を前記液晶素子１０１と前記コリメートレンズ５２との間の光路上に配置するとともに、偏光ホログラム素子１０３とコリメートレンズ５２とを一体化しても良い。これにより、部品点数が減少し、低コスト化を図ることができる。
【００８７】
また、上記実施形態において、一例として図１７に示されるように、前記１／４波長板５５、前記開口制限素子１０５、及び前記偏光ホログラム素子１０３が、それぞれ前記対物レンズ６０と連動して駆動されるようにしても良い。この場合には、具体的には、対物レンズ６０を保持する不図示のレンズホルダに１／４波長板５５、開口制限素子１０５、及び偏光ホログラム素子１０３が固定されることとなる。これにより、部品点数が減少し、低コスト化を図ることができる。また、これにより、対物レンズ６０がトラッキング方向にシフトしても良好な光スポットを形成することができる。
【００８８】
また、上記実施形態において、受光器ＰＤから出力される信号のＳ／Ｎ比を更に高くする必要がある場合には、一例として図１８及び図１９に示されるように、前記偏光ビームスプリッタ５４と前記検出レンズ５８との間の戻り光束の光路上に、更に、液晶素子１０７、及び２つの偏光ホログラム素子（１０８、１０９）を配置しても良い。すなわち、前記検出系に、液晶素子１０７、及び２つの偏光ホログラム素子（１０８、１０９）を付加しても良い。
【００８９】
この場合には、液晶素子１０７は、上記実施形態における前記液晶素子１０１と同様な光学特性を有し、前記偏光ビームスプリッタ５４の＋Ｙ側に配置され、前記液晶素子１０１と同様に、光ディスク１５がＢＤのときにオン状態とされ、ＨＤのときにオフ状態とされる。偏光ホログラム素子１０８は、液晶素子１０７の＋Ｙ側に配置され、入射光束（戻り光束）に含まれる常光成分（ここではＰ偏光成分）をそのまま透過させ、入射光束に含まれる異常光成分（ここではＳ偏光成分）を回折する。ここでは、偏光ホログラム素子１０８の回折格子は、復路で発生した収差（波面収差及び高次収差）を相殺する収差が異常光成分に付加されるように形成されている。偏光ホログラム素子１０９は、偏光ホログラム素子１０８の＋Ｙ側に配置され、入射光束に含まれる異常光成分（ここではＳ偏光成分）をそのまま透過させ、入射光束に含まれる常光成分（ここではＰ偏光成分）を回折する。ここでは、偏光ホログラム素子１０９の回折格子は、復路で発生した収差（波面収差及び高次収差）を相殺する収差が常光成分に付加されるように形成されている。この場合における検出系の作用を説明する。
【００９０】
《光ディスク１５がＢＤの場合（図１８参照）》
偏光ビームスプリッタ５４で＋Ｙ方向に分岐された戻り光束（Ｓ偏光）は、液晶素子１０７をそのまま透過し、偏光ホログラム素子１０８で回折され、偏光ホログラム素子１０９をそのまま透過し、検出レンズ５８を介して受光器ＰＤで受光される。これにより、復路で発生した収差（波面収差及び高次収差）が、偏光ホログラム素子１０８で相殺され、受光器ＰＤから出力される信号のＳ／Ｎ比を更に高くすることができる。すなわち、光利用効率を更に向上させることができる。
【００９１】
《光ディスク１５がＨＤの場合（図１９参照）》
偏光ビームスプリッタ５４で＋Ｙ方向に分岐された戻り光束（Ｓ偏光）は、液晶素子１０７でＰ偏光に変換され、偏光ホログラム素子１０８をそのまま透過し、偏光ホログラム素子１０９で回折された後、検出レンズ５８を介して受光器ＰＤで受光される。これにより、復路で発生した収差（波面収差及び高次収差）が、偏光ホログラム素子１０９で相殺され、受光器ＰＤから出力される信号のＳ／Ｎ比を更に高くすることができる。
【００９２】
なお、図１８及び図１９では、偏光ホログラム素子１０８が、偏光ホログラム素子１０９よりも液晶素子１０７側に配置される場合について説明したが、偏光ホログラム素子１０９が、偏光ホログラム素子１０８よりも液晶素子１０７側に配置されても良い。
【００９３】
また、図１８及び図１９では、前記液晶素子１０７は、光ディスク１５がＢＤのときにオン状態とされ、ＨＤのときにオフ状態とされる場合について説明したが、光ディスク１５がＢＤのときにオフ状態とされ、ＨＤのときにオン状態とされても良い。但し、この場合には、前記偏光ホログラム素子１０８は、入射光束（戻り光束）に含まれる異常光成分（ここではＳ偏光成分）をそのまま透過させ、入射光束に含まれる常光成分（ここではＰ偏光成分）を回折するように設定する必要がある。また、前記偏光ホログラム素子１０９は、入射光束（戻り光束）に含まれる常光成分（ここではＰ偏光成分）をそのまま透過させ、入射光束に含まれる異常光成分（ここではＳ偏光成分）を回折するように設定する必要がある。あるいは、この場合に、光ディスク１５がＨＤのときに復路で発生した収差を相殺する収差を前記偏光ホログラム素子１０８で付与し、光ディスク１５がＢＤのときに復路で発生した収差を相殺する収差を前記偏光ホログラム素子１０９で付与しても良い。
【００９４】
また、図１８及び図１９において、光ディスク１５がＨＤのときに復路で発生する収差が小さい場合には、前記偏光ホログラム素子１０９を除いても良い。
【００９５】
また、図１８及び図１９において、光ディスク１５がＢＤのときに復路で発生する収差が小さい場合には、前記偏光ホログラム素子１０８を除いても良い。
【００９６】
また、この場合に、前記検出レンズ５８に代えて、例えばＢＤのときに復路で発生した収差（波面収差及び高次収差）を補正するように設計された検出レンズ５８´を用いることにより、一例として図２０及び図２１に示されるように、上記偏光ホログラム素子１０８を省くことができる。この場合における検出系の作用を説明する。
【００９７】
《光ディスク１５がＢＤの場合（図２０参照）》
偏光ビームスプリッタ５４で＋Ｙ方向に分岐された戻り光束（Ｓ偏光）は、液晶素子１０７及び偏光ホログラム素子１０９をそのまま透過し、検出レンズ５８´で収差（波面収差及び高次収差）が補正された後、受光器ＰＤで受光される。これにより、復路で発生した収差（波面収差及び高次収差）が検出レンズ５８´で補正され、受光器ＰＤから出力される信号のＳ／Ｎ比を更に高くすることができる。
【００９８】
《光ディスク１５がＨＤの場合（図２１参照）》
偏光ビームスプリッタ５４で＋Ｙ方向に分岐された戻り光束（Ｓ偏光）は、液晶素子１０７でＰ偏光に変換され、偏光ホログラム素子１０９で回折された後、検出レンズ５８´を介して受光器ＰＤで受光される。これにより、復路で発生した収差（波面収差及び高次収差）が偏光ホログラム素子１０９で相殺され、受光器ＰＤから出力される信号のＳ／Ｎ比を更に高くすることができる。例えば、図２２に示されるように、再生信号処理回路２８で検出されるフォーカスエラー信号における直線領域が拡大し、フォーカス制御の精度を更に高めることが可能となる。なお、ＢＤの場合とＨＤの場合とでは、復路で発生する収差は互いに異なっている。
【００９９】
また、上記実施形態では、前記開口制限素子１０５が、前記偏光ホログラム素子１０３と前記１／４波長板５５との間に配置される場合について説明したが、これに限定されるものではない。要するに、前記液晶素子１０１と前記１／４波長板５５との間に配置されれば良い。
【０１００】
また、上記実施形態では、前記液晶素子１０１は、光ディスク１５がＢＤのときにオン状態とされ、ＨＤのときにオフ状態とされる場合について説明したが、光ディスク１５がＢＤのときにオフ状態とされ、ＨＤのときにオン状態とされても良い。但し、この場合には、前記偏光ホログラム素子１０３では、入射光束に含まれる異常光成分（ここではＳ偏光成分）をそのまま透過させ、入射光束に含まれる常光成分（ここではＰ偏光成分）を回折して前記収差を付与するように設定する必要がある。
【０１０１】
また、上記実施形態では、情報の記録及び再生が可能な光ディスク装置について説明したが、これに限らず、情報の記録、再生及び消去のうち、少なくとも情報の再生が可能な光ディスク装置であれば良い。
【０１０２】
また、上記実施形態では、光ピックアップ装置が１つの半導体レーザを備える場合について説明したが、これに限らず、例えば互いに異なる波長の光束を発光する複数の半導体レーザを備えていても良い。この場合に、例えば波長が約６６０ｎｍの光束を発光する半導体レーザ及び波長が約７８０ｎｍの光束を発光する半導体レーザの少なくとも１つを更に備えていても良い。すなわち、光ディスク装置が互いに異なる規格に準拠した複数種類の光ディスクに対応する光ディスク装置であっても良い。
【０１０３】
また、上記実施形態において、光ディスク装置２０はパソコン１０に対して内蔵型及び外付け型のいずれであっても良い。同様にＨＤＤ９４も、内蔵型及び外付け型のいずれであっても良い。
【０１０４】
また、上記実施形態では、情報処理装置としてパソコンの場合について説明したが、本発明がこれに限定されるものではない。
【産業上の利用可能性】
【０１０５】
以上説明したように、本発明のピックアップ装置によれば、基板厚が互いに異なる複数種類の光情報記録媒体から所望の信号を精度良く取得するのに適している。また、本発明の光ドライブ装置によれば、基板厚が互いに異なる複数種類の光情報記録媒体へのアクセスを精度良く行うのに適している。また、本発明の情報処理装置によれば、基板厚が互いに異なる複数種類の光情報記録媒体から情報を正しく取得するのに適している。
【図面の簡単な説明】
【０１０６】
【図１】本発明の一実施形態に係る情報処理装置としてのパソコンの概略構成を示すブロック図である。
【図２】図１における光ディスク装置の構成を示すブロック図である。
【図３】図１における光ディスクを説明するための図である。
【図４】図２における光ピックアップ装置を説明するための図である。
【図５】図５（Ａ）及び図５（Ｂ）は、それぞれ図４における液晶素子を説明するための図である。
【図６】図４における液晶素子の特性を説明するための図である。
【図７】図４における偏光ホログラム素子を説明するための図である。
【図８】図４における偏光ホログラム素子の位相関数を説明するための図である。
【図９】図９（Ａ）及び図９（Ｂ）は、それぞれ図４における開口制限素子を説明するための図である。
【図１０】図４における対物レンズを説明するための図（その１）である。
【図１１】図１１（Ａ）及び図１１（Ｂ）は、それぞれ図４における対物レンズを説明するための図（その２）である。
【図１２】図１２（Ａ）及び図１２（Ｂ）は、それぞれ図４における対物レンズを説明するための図（その３）である。
【図１３】図２における光ピックアップ装置の作用を説明するための図（その１）である。
【図１４】図２における光ピックアップ装置の作用を説明するための図（その２）である。
【図１５】図４における液晶素子に代えて使用可能な偏光旋光素子を説明するための図である。
【図１６】図２における光ピックアップ装置の変形例１を説明するための図である。
【図１７】図２における光ピックアップ装置の変形例２を説明するための図である。
【図１８】図２における光ピックアップ装置の変形例３を説明するための図（その１）である。
【図１９】図２における光ピックアップ装置の変形例３を説明するための図（その２）である。
【図２０】図２における光ピックアップ装置の変形例４を説明するための図（その１）である。
【図２１】図２における光ピックアップ装置の変形例４を説明するための図（その２）である。
【図２２】図２１の光ピックアップ装置における偏光ホログラム素子１０９の効果を説明するための図である。
【符号の説明】
【０１０７】
１０…パソコン（情報処理装置）、１５…光ディスク（光情報記録媒体）、１５ａ…ＢＤ（第１の光情報記録媒体）、１５ｂ…ＨＤ（第２の光情報記録媒体）、２０…光ディスク装置（光ドライブ装置）、２３…光ピックアップ装置、２８…再生信号処理回路（処理装置の一部）、４０…ＣＰＵ（処理装置の一部）、５２…コリメートレンズ、５４…偏光ビームスプリッタ（偏光分岐光学素子）、５５…１／４波長板、６０…対物レンズ、９２…主制御装置、１０１…偏光旋光素子、１０３…偏光ホログラム素子（偏光回折光学素子）、１０５…開口制限素子（ビーム径規定素子）、１０７…偏光旋光素子（第２の偏光旋光素子）、１０８…偏光ホログラム素子（第２の偏光回折光学素子）、１０９…偏光ホログラム素子（第３の偏光回折光学素子）、ＬＤ…光源、ＰＤ…受光器（光検出器）。
【図１】
2006309807.tif 000003
【図２】
2006309807.tif 000004
【図３】
2006309807.tif 000005
【図４】
2006309807.tif 000006
【図５】
2006309807.tif 000007
【図６】
2006309807.tif 000008
【図７】
2006309807.tif 000009
【図８】
2006309807.tif 000010
【図９】
2006309807.tif 000011
【図１０】
2006309807.tif 000012
【図１１】
2006309807.tif 000013
【図１２】
2006309807.tif 000014
【図１３】
2006309807.tif 000015
【図１４】
2006309807.tif 000016
【図１５】
2006309807.tif 000017
【図１６】
2006309807.tif 000018
【図１７】
2006309807.tif 000019
【図１８】
2006309807.tif 000020
【図１９】
2006309807.tif 000021
【図２０】
2006309807.tif 000022
【図２１】
2006309807.tif 000023
【図２２】
2006309807.tif 000024